(57)【要約】【課題】  本発明は持ち運びが容易で、メモ帳代わりに使用することができるとともに、ホワイトボードの簡易タイプと同様に使用することができるホワイトノートを得るにある。【解決手段】  ホワイトボードのように使用することができる表面が合成樹脂加工された複数枚のホワイト用紙と、この複数枚のホワイト用紙の一端部に取付けられたリング状綴じ具とでホワイトノートを構成している。【選択図】  図３
2007083406.tif 000002
【特許請求の範囲】
【請求項１】
ホワイトボードのように使用することができる表面が合成樹脂加工された複数枚のホワイト用紙と、この複数枚のホワイト用紙の一端部に取付けられたリング状綴じ具あるいは該複数枚のホワイト用紙の一端部を綴じる綴じ具
とからなることを特徴とするホワイトノート。
【請求項２】
ホワイトボードのように使用することができる表面がポリプロピレン等の合成樹脂加工された複数枚のホワイト用紙と、この複数枚のホワイト用紙の一端部に取付けられたリング状綴じ具と、前記復数枚のホワイト用紙のうちの外側に位置するホワイト用紙の反リング状綴じ具部位の端部に取付けられた吊り下げ具とからなることを特徴とするホワイトノート。
【請求項３】
ホワイトボードのように使用することができる表面がポリプロピレン等の合成樹脂加工された複数枚のホワイト用紙と、この複数枚のホワイト用紙の一端部に取付けられたリング状綴じ具と、前記複数枚のホワイト用紙のうちの外側に位置するホワイト用紙の反リング状綴じ具部位の端部に取付けられた吊り下げ具と、この吊り下げ具に設けられたホワイトボードマーカーを着脱可能に支持するホワイトボードマーカー支持具とからなることを特徴とするホワイトノート。
【請求項４】
ホワイトボードのように使用することができる表面が合成樹脂加工された複数枚のホワイト用紙と、この複数枚のホワイト用紙の一端部に取付けられたリング状綴じ具あるいは該複数枚のホワイト用紙の一端部を綴じる綴じ具
と、前記複数枚のホワイト用紙に記入する部位を残して消せないようにプリントされた文字や絵等の表示とからなることを特徴とするホワイトノート。
【発明の詳細な説明】
【技術分野】
【０００１】
本発明はホワイトボードマーカーを用いて書いたり、消したりして繰り返し使用することができるホワイトノートに関する。
【背景技術】
【０００２】
従来、ホワイトボードの代りに裏面に粘着剤が付着されたイーゼルパット（住友スリーエム）やマグネットホワイトボードシートが市販されている。
【０００３】
しかしながら、これらはホワイトボードの簡易タイプで、持ち運びに不便で、メモ帳代りに使用することができないという欠点があった。
【特許文献１】特になし
【発明の開示】
【発明が解決しようとする課題】
【０００４】
本発明は以上のような従来の欠点に鑑み、持ち運びが容易で、メモ帳代わりに使用することができるとともに、ホワイトボードの簡易タイプと同様に使用することができるホワイトノートを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はホワイトボードのように使用することができる表面が合成樹脂加工された複数枚のホワイト用紙と、この複数枚のホワイト用紙の一端部に取付けられたリング状綴じ具とでホワイトノートを構成している。
【発明の効果】
【０００７】
以上の説明から明らかなように、本発明にあっては次に列挙する効果が得られる。
【０００８】
（１）ホワイトボードのように使用することができる表面が合成樹脂加工された複数枚のホワイト用紙と、この複数枚のホワイト用紙の一端部に取付けられたリング状綴じ具とで構成されているので、複数枚のホワイト用紙にホワイトボードマーカーを用いてメモ等の文字や絵をノートのように記載したり、消したりして繰り返し使用することができる。
したがって、経済的に使用することができる。
【０００９】
（２）前記（１）によって、複数枚のホワイト用紙の一端部をリング状綴じ具で綴じているので、従来のリングノートと同様に使用することができるとともに、持ち運びも容易に行なうことができる。
【００１０】
（３）前記（１）によって、従来の簡易タイプのホワイトボードと同様に使用することもできる。
【００１１】
（４）請求項２も前記（１）〜（３）と同様な効果が得られるとともに、吊り下げ具によって壁面等に吊り下げた状態で使用することができる。
【００１２】
（５）請求項３、４も前記（１）〜（４）と同様な効果が得られるとともに、使用するホワイトボードマーカーを吊り下げ具のホワイトボードマーカー支持具に支持させておくことができる。
したがって、ホワイトボードマーカーの収納保管が容易で、紛失を効率よく防止することができる。
【発明を実施するための最良の形態】
【００１３】
以下、図面に示す本発明を実施するための最良の形態により、本発明を詳細に説明する。
【００１４】
図１ないし図４に示す本発明を実施するための最良の第１の形態において、１は本発明のホワイトノートで、このホワイトノート１はスケッチブック状に形成されたもので、ホワイトボードのように使用することができる表面がポリプロピレン、ポリ塩化ビニール等の合成樹脂加工された複数枚のホワイト用紙２と、この複数枚のホワイト用紙２の一端部に所定間隔で形成された綴じ具取付孔３と、前記複数枚のホワイト用紙２の綴じ具取付孔３に取付けられたダブルリングの綴じ具４と、前記複数枚のホワイト用紙２のうちの外側に位置するホワイト用紙２の反リング状綴じ具４部位に取付けられたほぼ中央部に吊りリング５が形成された吊り下げ具６とで構成されている。
【００１５】
上記構成のホワイトノート１は図３に示すように、複数枚のホワイト用紙２にホワイトボードマーカー７で文字や絵を書いたり、消したりして、メモ帳代りに繰り返し使用することができる。
また、図４に示すように吊り下げ具６の吊りリング５をピン８で壁面９に取付けることにより、吊り下げた状態でメモボードとして使用することができる。
[発明を実施するための異なる形態]
【００１６】
次に、図５ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図５ないし図７に示す本発明を実施するための第２の形態において、前記本発明を実施するための最良の第１の形態と主に異なる点は、キャップ１０にイレーザー１１が取付けられたホワイトボードマーカー７Ａを着脱可能に取付けることができるホワイトボードマーカー支持具１２を設けた吊り下げ具６Ａを用いた点で、このようなホワイトボードマーカー支持具１２を設けた吊り下げ具６Ａを用いて構成したホワイトノート１Ａにしても、前記本発明を実施するための最良の第１の形態と同様な作用効果が得られるとともに、ホワイトボードマーカー７Ａの紛失を効率よく防止することができる。
【００１８】
図８ないし図１０に示す本発明を実施するための第３の形態において、前記本発明を実施するための最良の第１の形態と主に異なる点は、ホワイト用紙２の最下部の反綴じ具側の端部より外方に突出する台紙１３と複数枚のホワイト用紙２とをスパイラルリングの綴じ具４Ａで綴じるとともに、前記台紙１３のホワイト用紙２の端部より外方へ突出する部位にホワイトボードマーカー支持具１２Ａを取付けた点で、このように構成したホワイトノート１Ｂにしても、前記本発明を実施するための最良の第１の形態と同様な作用効果が得られるとともに、ホワイトボードマーカー７Ａの紛失を効率よく防止することができる。
【００１９】
図１１ないし図１３に示す本発明を実施するための第４の形態において、前記本発明を実施するための第３の形態と主に異なる点は、複数枚のホワイト用紙２の最上部に表紙１４を配置した点で、このように構成したホワイトノート１Ｃにしてもよい。
【００２０】
図１４ないし図１６に示す本発明を実施するための第５の形態において、前記本発明を実施するための最良の第１の形態と主に異なる点は、２倍の大きさの複数枚のホワイト用紙２Ａの中央部で２つ折し、該部位をミシンで糸１５を綴じた綴じ具４Ｂを用いた点で、このように構成したホワイトノート１Ｄにしても前記本発明を実施するための最良の第１の形態と同様な作用効果が得られる。
【００２１】
図１７ないし図１９に示す本発明を実施するための第６の形態において、前記本発明を実施するための最良の第１の形態と主に異なる点は、７枚のホワイト用紙２Ｂを中央部で２ツ折りできるように綴じるとともに、下段の各頁にカレンダーとして使用出来るように年１６、月１７、メモ欄１８が設けられた日付１９を
プリントするとともに、上段の各頁に絵２０をプリントし、最後の頁の下部にホワイトボードマーカー７を着脱可能に取付けることができるフエルトをＵ状に取り付けたワイトボードマーカー支持具１２Ｃを設けた点で、このように構成したホワイトノート１Ｅにしても前記本発明を実施するための最良の第１の形態と同様な作用効果が得られるとともに、カレンダーとしても使用することができる。
【００２２】
図２０および図２１に示す本発明を実施するための第７の形態において、前記本発明を実施するための第６の形態と主に異なる点は、使用時にテーブルなどに置くことができる折り畳み可能な台紙２１を背面に位置するように取り付けた点で、このように構成しても良い。
【００２３】
なお、前記本発明を実施するための各形態では白紙のホワイト用紙を用いるものについて説明したが、本発明はこれに限らず、罫線やメモ記入欄を設けたカレンダー用の日付を記載したもの等を用いてもよい。
また、複数枚のホワイト用紙に記入する部位を残して消せないようにプリントされた文字や絵等の表示を行い、使用者が記入する部位に文字や絵などを書いたり、消したりすることができる絵本状にしたものであっても良い。
さらに、前記本発明を実施する各形態で用いた綴じ具以外の複数枚のホワイト用紙の一方の端部を糊付けや接着テープを綴じ具として使用したものや、バインダーを綴じ具としたもの、一方の端部に孔を形成し、紐やリングの綴じ具を用いて構成したものであっても良い。
【産業上の利用可能性】
【００２４】
本発明はホワイトノートを製造する産業で利用される。
【図面の簡単な説明】
【００２５】
【図１】本発明を実施するための最良の第１の形態の平面図。
【図２】本発明を実施するための最良の第１の形態の側面図。
【図３】本発明を実施するための最良の第１の形態のメモ帳としての使用説明図。
【図４】本発明を実施するための最良の第１の形態のメモボードとしての使用説明図。
【図５】本発明を実施するための第２の形態の平面図。
【図６】本発明を実施するための第２の形態の側面図。
【図７】本発明を実施するための第２の形態のホワイトボードマーカー支持具の説明図。
【図８】本発明を実施するための第３の形態の平面図。
【図９】本発明を実施するための第３の形態の側面図。
【図１０】本発明を実施するための第３の形態の台紙の説明図。
【図１１】本発明を実施するための第４の形態の平面図。
【図１２】本発明を実施するための第４の形態の側面図。
【図１３】本発明を実施するための第４の形態のメモ帳としての使用説明図。
【図１４】本発明を実施するための第５の形態の平面図。
【図１５】本発明を実施するための第５の形態の側面図。
【図１６】本発明を実施するための第５の形態の開いた状態の説明図。
【図１７】本発明を実施するための第６の形態の平面図。
【図１８】本発明を実施するための第６の形態の側面図。
【図１９】本発明を実施するための第６の形態の開いた状態の説明図。
【図２０】本発明を実施するための第７の形態の正面図。
【図２１】本発明を実施するための第７の形態の側面斜視図。
【符号の説明】
【００２６】
１、１Ａ、１Ｂ、１Ｃ、１Ｄ、１Ｅ：ホワイトノート、
２、２Ａ、２Ｂ：ホワイト用紙、３：綴じ具取付孔、
４、４Ａ、４Ｂ：綴じ具、      ５：吊りリング、
６、６Ａ：吊り下げ具、
７、７Ａ、：ホワイトボードマーカー、
８：ピン、                    ９：壁面、
１０：キャップ、              １１：イレーザー、
１２、１２Ａ、１２Ｂ、１２Ｃ：ホワイトボードマーカー支持具、
１３：台紙、                  １４：表紙、
１５：糸、                    １６：年、
１７：月、                    １８：メモ欄、
１９：日付、                  ２０：絵、
２1：台紙。
【図１】
2007083406.tif 000003
【図２】
2007083406.tif 000004
【図３】
2007083406.tif 000005
【図４】
2007083406.tif 000006
【図５】
2007083406.tif 000007
【図６】
2007083406.tif 000008
【図７】
2007083406.tif 000009
【図８】
2007083406.tif 000010
【図９】
2007083406.tif 000011
【図１０】
2007083406.tif 000012
【図１１】
2007083406.tif 000013
【図１２】
2007083406.tif 000014
【図１３】
2007083406.tif 000015
【図１４】
2007083406.tif 000016
【図１５】
2007083406.tif 000017
【図１６】
2007083406.tif 000018
【図１７】
2007083406.tif 000019
【図１８】
2007083406.tif 000020
【図１９】
2007083406.tif 000021
【図２０】
2007083406.tif 000022
【図２１】
2007083406.tif 000023